(57)【要約】【課題】日没判定時刻から第１の明るさで第１の時間点灯し、この第１の明るさで点灯中に人感センサーが人体を感知すると第２の明るさで第２の時間点灯し、第１の明るさを第２の明るさよりも暗くするように制御することができる照明装置を提供することを目的とする。【解決手段】照明装置であって、太陽電池が発電した電力を蓄電池に供給する太陽光発電部と、感知エリア内の人体を感知し人体感知信号を出力する人感センサーと、照明部と、前記蓄電池と、前記太陽光発電部と、前記人感センサーとに接続され、前記太陽光発電部の発電量を検知して日出没の判定時刻を検出し日出没判定信号を出力する日出没判定手段と、該日出没判定信号と前記人体感知信号とが入力され、点灯時間を制御するタイマー部と、該タイマー部の出力信号が入力されて照明部の明るさを制御する点灯制御部とを有する制御部と、を備えていることを特徴とする。【選択図】  図１
0003202531.tif 000002
【実用新案登録請求の範囲】
【請求項１】
ＬＥＤ光源で構成された照明部と、
該照明部に電力を供給する蓄電池と、
太陽光を受光して発電する太陽電池を有し、該太陽電池が発電した電力を前記蓄電池に供給する太陽光発電部と、
感知エリア内の人体を感知し人体感知信号を出力する人感センサーと、
前記照明部と、前記蓄電池と、前記太陽光発電部と、前記人感センサーとに接続され、前記照明部の明るさ及び点灯時間を制御する制御部とを備え、
該制御部には、
前記太陽光発電部の発電量を検知して日出又は日没の判定時刻を検出し日出没判定信号を出力する日出没判定手段と、
該日出没判定信号と前記人体感知信号とが入力され、前記点灯時間の制御信号を出力するタイマー部と、
前記制御信号が入力されて前記照明部の明るさと前記点灯時間を制御する点灯制御部とが設けられ、
前記タイマー部は、
第１の点灯時間を指定する第１制御信号を出力する第１のタイマー部と、前記第１の点灯時間よりも短い第２の点灯時間を指定する第２の制御信号を出力する第２のタイマー部とを備え、
前記点灯制御部は、
前記第１の点灯時間中は、第１の明るさを点灯し、前記第２の点灯時間中は、第２の明るさを点灯し、前記第１の明るさを前記第２の明るさよりも暗く設定する手段を備えている
ことを特徴とする照明装置。
【請求項２】
前記第１の点灯時間の開始時刻は、前記日出没判定手段が日没を判定した時刻に設定され、前記第２の点灯時間の開始時刻は、前記人感センサーが人体を感知した時刻に設定されている
ことを特徴とする請求項１に記載の照明装置。
【請求項３】
前記第２のタイマー部は、前記人感センサーが人体を感知して前記人体感知信号を出力するたびに、前記第２の制御信号を出力するように設定されている
ことを特徴とする請求項１又は請求項２に記載の照明装置。
【請求項４】
カメラ部と、撮影用人感センサーと、記録手段と、撮影制御部とを有する撮影手段を備え、
前記撮影制御部は、
撮影設定時間中、前記撮影用人感センサーが感知エリア内の人体を感知したことに応答して、前記カメラ部を動作させて静止画像又は動画像の少なくともいずれか一方を撮影するように制御する手段と、
前記撮影された静止画又は動画の少なくともいずれか一方を前記記録手段に記録するように制御する手段とを備えている
ことを特徴とする請求項１乃至請求項３のいずれか１項に記載の照明装置。
【請求項５】
前記撮影手段専用に設けられた撮影手段用蓄電池と、
前記撮影手段専用に設けられ、太陽光を受光して発電する太陽電池を有し、該太陽電池が発電した電力を前記撮影手段用蓄電池に供給する撮影手段用太陽光発電部とを備えている
ことを特徴とする請求項４に記載の照明装置。
【請求項６】
前記撮影設定時間は、日没から日出までの間の所定時間であり、
該所定時間は、
予め前記撮影制御部で設定された時間、通信機能を利用して照明装置外部から設定された時間、前記日出没判定信号に応答して設定された時間のうちのいずれかの時間である
ことを特徴とする請求項４又は請求項５に記載の照明装置。
【請求項７】
前記タイマー部は、
第３の明るさを点灯する第３の点灯時間を指定するとともに、該第３の点灯時間は、前記第１の点灯時間よりも短く設定されており、
前記日出没判定信号を受信し、開始時刻が前記日出没判定手段の日没判定時刻に設定され、第３の制御信号を出力する第３のタイマー部を備え、
前記点灯制御部は、
前記第１の明るさを前記第３の明るさよりも暗く設定する手段を備えている
ことを特徴とする請求項１乃至請求項６のいずれか１項に記載の照明装置。
【請求項８】
少なくとも、前記制御部と、前記照明部と、前記蓄電池と、前記太陽光発電部とが一体的に内蔵されて構成されている
こと特徴とする請求項１乃至請求項７のいずれか１項に記載の照明装置。
【請求項９】
請求項１乃至請求項８のいずれか１項に記載の照明装置が、取り付け部材で支持部材に固定されて設置されている
ことを特徴とする照明灯設備。
【考案の詳細な説明】
【技術分野】
【０００１】
本考案は、太陽光発電により発電された電力を蓄電池に充電し、この蓄電池に充電した電力により日没後の一定時間点灯する照明装置に関するものである。
【背景技術】
【０００２】
従来、街路、公園、庭園等に設置され、昼間は消灯され、夜間になると点灯されて周辺を明るくする照明装置がある。この照明装置としては、商用交流電源の電力により点灯するものもあるが、電気代を不要にするため、昼間は太陽電池で発電した電力を蓄電池に充電しておき、夜間になると蓄電池に充電した電力を光源に供給して点灯するものがある。
【０００３】
太陽電池と蓄電池を用いた照明装置は、商用交流電源が配設されていない地域にも費用・施工の面で容易に設置することができ、上述した街路、公園、庭園等に夜間照明灯・防犯灯として商用交流電源を用いずに設置される以外にも、特に、地震や洪水等の災害により商用交流電源が停止した場合でも、太陽電池で発電された電力を蓄電池に充電しておき、蓄電池に充電された電力で照明を点灯することができ、災害時の支援に非常に役立つというメリットがある。
【０００４】
例えば、特許文献１には、「光の入射に応じて発電を行う太陽電池と、該太陽電池の出力により充電される二次電池と、該二次電池により点灯する光源と、明るさを検知する照度検知部と、該照度検知部の検知結果に応じて制御信号を発するタイマ部と、人体を検知すると共にその検知結果及び前記照度検知部の検知結果に応じて制御信号を発する人体検知部と、該人体検知部及び前記タイマ部からの制御信号により前記光源の点灯を制御する点灯制御部とよりなることを特徴とする太陽電池付き照明灯」が記載されている（下記「特許文献１」参照。）。
【０００５】
また、特許文献２には、「太陽光を受光することにより発電する太陽光発電部と、該太陽光発電部が発電した電力を蓄える蓄電池部と、該蓄電池部を電源として光源を点灯させる点灯回路部を制御する制御部とを備えた照明装置であって、日出時刻データおよび日没時刻データを保持するデータ保持部と、該データ保持部の前記日出時刻データおよび日没時刻データに基づいて日出時刻および日没時刻を特定する日出没時刻特定部と、周囲の明るさを検知する明るさ検知部とを備え、前記制御部は、前記日出没時刻特定部によって特定した日出時刻または日没時刻を基準時とした該基準時前後の所定の時間内において、前記明るさ検知部の検知結果および前記基準時のいずれか一方に基づいて、前記点灯回路部を制御することにより、前記光源の点灯または消灯を行うことを特徴とする照明装置」が記載されている（下記「特許文献２」参照。）。
【先行技術文献】
【特許文献】
【０００６】
【特許文献１】特開平２−１５５９６号公報
【特許文献２】特開２０１２−９４２７３号公報
【考案の概要】
【考案が解決しようとする課題】
【０００７】
特許文献１には、従来技術として、照明灯を日没から夜明けまで連続して点灯すると蓄電池の電力消費が大きくなるという問題があること、また、この問題を解決するために日没からタイマで設定された一定時間点灯し、一定時間経過後は消灯するように構成すると、街路灯などの用途に用いる場合には消灯後の深夜には照明がなされず、従って暗い夜道での通行人の安全や防犯上の問題があり、また、タイマーの設定時間が長くなれば電力消費の問題が顕著になることが記載されている（明細書第１頁左欄第８行乃至右欄第８行参照。）。この問題を解決するため、特許文献１記載の発明の「太陽電池付き照明灯」は、日没によって周囲環境が暗くなり太陽電池(1)の出力電圧が下がると、二次電池(2)への充電がなされなくたったことを検出して、つまり、周囲環境が暗くなったこと（通常であれば、日没であること）を検出して、タイマ部(8)の第１タイマ回路(9)を起動させ、設定時間t1（例えば、２時間）の間、ランプ(3)を点灯させ、設定時間t1経過後は、照明装置は消灯され、通行人があるときのみ人体検知部(10)によって検知し、照明装置を点灯するものである。特許文献１に記載されているように、通行人を検知すると照明が点灯するので、一定の防犯効果はあると思われるが、通行人の安全や防犯上、夜間、特に深夜の間は、常時点灯している方が、望ましい。また、災害発生時には、緊急事態に備え、夜間中、照明を点灯しておくことが望ましい。しかしながら、特許文献１記載の太陽電池付き照明灯を夜間中点灯すると、上述したように、蓄電池の電力消費が大きくなるという問題がある。
【０００８】
電力消費の問題は、単純には、蓄電池の容量を大きくすれば解決するが、同時に太陽電池の数も増やさなければならず、太陽光パネルも大型化し、結果として、照明灯装置全体が大型化し、設置費用が嵩み、施工期間も長くなる。従って、災害時のように緊急に照明装置を設置する必要があるときに、すぐに対応することができないという問題がある。
【０００９】
特許文献２記載の照明装置は、より精度よく昼夜を判別しつつ、周囲の明るさに応じて光源の点灯や消灯を制御することを可能にしたものであるが、この光源の点灯や消灯の制御（調光制御）は、蓄電池の充電量や、日出時刻または日没時刻を基準としてタイマーに設定された時間、あるいは、光センサーによる周囲の明るさによって行われており（全文、全図参照。）、人体を検知して点灯制御するというような課題については考慮されておらず、従って、その課題を解決する手段も備えていないものと推量される。
【００１０】
そこで、本考案は、太陽電池と蓄電池を備えた照明装置であって、昼間は太陽電池で発電した電力を蓄電池に充電し、太陽電池の発電量に基づいて日没時刻を判定し、日没判定時刻から第１の点灯時間だけ第１の明るさで点灯し、この第１の明るさで点灯中に人感センサーが人体を感知すると第２の点灯時間だけ第２の明るさで点灯するとともに、第１の明るさを第２の明るさよりも暗くするように制御することができる照明装置を提供することを目的とする。
【００１１】
また、本考案は、上記照明装置に、カメラ部と撮影用人感センサーと記録手段と撮影制御部とを有する撮影手段を設け、撮影用人感センサーが人体を感知することで、撮影手段で撮影を開始し、撮影した静止画又は動画を記録手段に記録するように制御することができる照明装置を提供することを目的とする。
【００１２】
また、本考案は、人感センサー、太陽電池、蓄電池、制御部、撮影手段等、照明装置を構成する部品が一体的に内蔵され、従来の照明装置に比べ、小型で軽量に形成され、持ち運びにも利便性のある照明装置を提供することを目的とする。
【課題を解決するための手段】
【００１３】
上記の目的を達成するため、請求項１の考案では、  ＬＥＤ光源で構成された照明部（７）と、該照明部に電力を供給する蓄電池（５）と、太陽光を受光して発電する太陽電池を有し、該太陽電池が発電した電力を前記蓄電池に供給する太陽光発電部（４）と、感知エリア内の人体を感知し人体感知信号（Ｓ２）を出力する人感センサー（６）と、前記照明部（７）と、前記蓄電池（５）と、前記太陽光発電部（４）と、前記人感センサー（６）とに接続され、前記照明部（７）の明るさ（Ｌｕ１，Ｌｕ２）及び点灯時間（ｔ１，ｔ２）を制御する制御部（８）とを備え、該制御部（８）には、前記太陽光発電部（４）の発電量を検知して日出又は日没の判定時刻を検出し日出没判定信号（Ｓ１）を出力する日出没判定手段（１５）と、該日出没判定信号（Ｓ１）と前記人体感知信号（Ｓ２）とが入力され、前記点灯時間（ｔ１，ｔ２）の制御信号（Ｓｃ１，Ｓｃ２）を出力するタイマー部（１７）と、前記制御信号（Ｓｃ１，Ｓｃ２）が入力されて前記照明部（７）の明るさ（Ｌｕ１，Ｌｕ２）と前記点灯時間（ｔ１，ｔ２）を制御する点灯制御部（１８）とが設けられ、前記タイマー部（１７）は、第１の点灯時間（ｔ１）を指定する第１制御信号（Ｓｃ１）を出力する第１のタイマー部（１７ａ）と、前記第１の点灯時間（ｔ１）よりも短い第２の点灯時間（ｔ２）を指定する第２の制御信号（Ｓｃ２）を出力する第２のタイマー部（１７ｂ）とを備え、前記点灯制御部（１８）は、前記第１の点灯時間中は、第１の明るさ（Ｌｕ１）を点灯し、前記第２の点灯時間中は、第２の明るさ（Ｌｕ２）を点灯し、前記第１の明るさを前記第２の明るさよりも暗く設定する手段を備えていることを特徴とする。
【００１４】
また、請求項２の考案では、請求項１の考案において、前記第１の点灯時間の開始時刻は、前記日出没判定手段が日没を判定した時刻に設定され、前記第２の点灯時間の開始時刻は、前記人感センサーが人体を感知した時刻に設定されていることを特徴とする。
【００１５】
また、請求項３の考案では、請求項１又は請求項２の考案において、前記第２のタイマー部は、前記人感センサーが人体を感知して前記人体感知信号を出力するたびに、前記第２の制御信号を出力するように設定されていることを特徴とする。
【００１６】
また、請求項４の考案では、請求項１乃至請求項３のいずれか１項に記載の考案において、カメラ部（２２）と、撮影用人感センサー（２３）と、記録手段（２４）と、撮影制御部（２５）とを有する撮影手段（２１）を備え、前記撮影制御部（２５）は、前記撮影用人感センサーが感知エリア内の人体を感知したことに応答して、撮影設定時間（ｔ４）中、前記カメラ部を動作させて静止画像又は動画像の少なくともいずれか一方を撮影するように制御する手段と、前記撮影された静止画又は動画の少なくともいずれか一方を前記記録手段に記録するように制御する手段とを備えていることを特徴とする。
【００１７】
また、請求項５の考案では、請求項４に記載の考案において、前記撮影手段専用に設けられた撮影手段用蓄電池と、前記撮影手段専用に設けられ、太陽光を受光して発電する太陽電池を有し、該太陽電池が発電した電力を前記撮影手段用蓄電池に供給する撮影手段用太陽光発電部（３１）とを備えていることを特徴とする。
【００１８】
また、請求項６の考案では、請求項４又は請求項５に記載の考案において、前記撮影設定時間は、日没から日出までの間の所定時間であり、該所定時間は、予め前記撮影制御部で設定された時間、通信機能を利用して照明装置外部から設定された時間、前記日出没判定信号に応答して設定された時間（ｔ１）のうちのいずれかの時間であることを特徴とする。
【００１９】
また、請求項７の考案では、請求項１乃至請求項６のいずれか１項に記載の考案において、前記タイマー部（１７）は、第３の明るさ（Ｌｕ３）を点灯する第３の点灯時間（ｔ３）を指定するとともに、該第３の点灯時間（ｔ３）は、前記第１の点灯時間（ｔ１）よりも短く設定されており、前記日出没判定信号（Ｓ１）を受信し、開始時刻が前記日出没判定手段（１５）の日没判定時刻に設定され、第３の制御信号（Ｓｃ３）を出力する第３のタイマー部（１７ｃ）を備え、前記点灯制御部（１８）は、前記第１の明るさ（Ｌｕ１）を前記第３の明るさ（Ｌｕ３）よりも暗く設定する手段を備えていることを特徴とする。
【００２０】
また、請求項８の考案では、請求項１乃至請求項７のいずれか１項に記載の考案において、少なくとも、前記制御部と、前記照明部と、前記蓄電池と、前記太陽光発電部とが一体的に内蔵されて構成されていることを特徴とする。
【００２１】
また、請求項９の考案では、請求項１乃至請求項８のいずれか１項に記載の照明装置が取り付け部材で支持部材に固定されて、照明設備（１００，２００）として設置されていることを特徴とする。
【考案の効果】
【００２２】
本考案の照明装置によれば、太陽電池と蓄電池を備え、昼間は太陽電池で発電した電力を蓄電池に充電し、この太陽電池の発電量に基づいて日没時刻を判定し、日没判定時刻から第１の点灯時間が経過するまで第１の明るさで点灯し、この第１の明るさで点灯中に人感センサーが人体を検知すると、この検知時刻から第２の点灯時間が経過するまで第２の明るさで点灯し、第１の明るさを第２の明るさよりも暗く設定するように制御することで、蓄電池に充電された電力の消費を低減することができるとともに、防犯の効果を向上することができるという効果を奏する。そして、蓄電池に充電された電力の消費を低減することができるので、長時間の照明点灯が可能であるので、災害時の夜間に長時間の照明灯として役立てることができるという効果を奏する。
【００２３】
また、本考案の照明装置によれば、さらに、人感センサーと記録手段と撮影制御部と有する撮影手段を備え、人感センサーが人体を感知したことに応答して、撮影手段による静止画（写真）又は動画（映像）の撮影を開始するように構成することで、防犯の効果を向上することができ、また、万一、事件、事故等が発生した場合に、記録手段に記録された静止画像又は動画像を分析することで、事件、事故の早期原因解明に役立てることができるという効果を奏する。
ことができる。
【００２４】
また、本考案の照明装置によれば、少なくとも、人感センサーとタイマー部を含む制御部、太陽電池を含む太陽光発電部、蓄電池、照明部等、照明装置を構成する部品を一体的に内蔵して、小型化、かつ、軽量化したので、簡単に持ち運びができ、また、取り付けも容易で短時間にできるので、特に、災害時に商用交流電力が停止した場合に、照明装置の迅速な設置を行い災害支援に早急に役立てることができるという効果を奏する。
【図面の簡単な説明】
【００２５】
【図１】本考案の第一実施形態における照明装置の外観構成を示す正面図である。
【図２】本考案の第一実施形態における照明装置の外観構成を示す背面図である。
【図３】本考案の第一実施形態における照明装置を用いて設置された照明灯設備を示す斜視図である。
【図４】本考案の第一実施形態における照明装置の回路ブロック図である。
【図５】本考案の第一実施形態における照明装置の点灯パターンの一例を示す図である。
【図６】本考案の第二実施形態における照明装置の回路ブロック図である。
【図７】本考案の第二実施形態における照明装置の外観構成を示す正面図である。
【図８】本考案の第三実施形態における照明装置の回路ブロック図である
【図９】本考案の第三実施形態における照明装置の外観構成を示す正面図である。
【図１０】本考案の第三実施形態における照明装置の外観構成を示す背面図である
【図１１】本考案の第三実施形態における変形例の照明装置を用いて設置された照明灯設備を示す斜視図である。
【図１２】本考案の第四実施形態における照明装置の回路ブロック図である。
【図１３】本考案の第四実施形態における照明装置の点灯パターンの一例を示す図である。
【考案を実施するための形態】
【００２６】
以下、好適な実施形態を用いて本考案をさらに具体的に説明する。但し、下記の実施形態は本考案を具現化した例に過ぎず、本考案はこれに限定されるものではない。
【００２７】
（第一実施形態）
本考案の第一実施形態における照明装置について、図１〜図５を参照しながら説明する。
本考案の第一実施形態の照明装置１は、図１、図２に示すように、照明装置本体部２とポール取り付け部３とから構成されている。照明装置本体部２の正面には、上部に人感センサー６が設けられ、中央部に、複数のＬＥＤ（発光ダイオード）７ａを備えた半球形状の照明部７が設けられている。人感センサー６の周辺、及び、照明部７の下部には、複数の放熱孔９が開孔されている。放熱孔９は、照明装置１の内部に設けられた蓄電池５その他の電気・電子部品の発熱を放熱するために設けられている。効率よく放熱するために、複数の放熱孔９は放射状の模様に形成されている。照明装置本体部２はアルミダイキャストで形成されているので、安価・軽量である。さらに、照明装置本体部２の背面には、略全面に、太陽光発電部として太陽光パネル４が設けられている。太陽光パネル４には、太陽光を受光して発電する太陽電池４ａが格子状に複数個配設されている。太陽電池４ａは、周知の単結晶シリコンで構成されたものである。太陽電池４ａで発電された電力は、照明装置本体部２の内部に設けられた蓄電池５（図４参照。）に充電される。
【００２８】
ポール取り付け部３は、角度調節部１０とポール嵌合部１１を備えている。角度調節部１０は、照明装置本体部２の下端部略中央部に形成された第１角度調節片１０ａと、ポール嵌合部１１の上端部略中央部に形成された第２角度調節片１０ｂとを、螺設手段１０ｃで螺設することで、所定の角度に固定される。この螺設手段１０ｃにより、照明装置本体部２を可動させて太陽光パネル４の受光面の傾斜角度を調節することができる。また、ポール嵌合部１１は、対向して配設された嵌合部材１１ａ，１１ｂにより後述するポール１２が嵌合可能に構成され、ポール嵌合部１１にポール１２を嵌合した後、ポール嵌合部１１に設けられた螺設手段１１ｃにより、ポール１２と照明装置１とを固定することができる。嵌合部材１１ａは、第２角度調節片１０ｂに固着されており、嵌合部材１１ｂは、螺設手段１１ｃにより嵌合部材１１ａに螺設可能に構成されている。角度調節部１０、ポール嵌合部１１もアルミダイキャストで形成されてよい。
【００２９】
図３に示すように、照明装置１は、ポール取り付け部３を用いて、例えば、塀Ｗの外壁面に沿って設置されたポール１２の最上部に固定され、ポール１２の下端部は、設置面の状態に応じて最適な設置具で固定されて、街路、公園、庭園等に、照明灯設備１００として設置される。ポール１２の下端部は、設置面が硬い略平面の場合は、平板のスタンドで固定されてもよいし、設置面が地面の場合はスクリュー抗を地中に埋設して固定されてもよいし、あるいは、コンクリートで埋設されて固定されてもよい。また、ポール１２は、照明装置１専用に形成されたものであるが、既設の支柱等にポール取り付け部３を用いて照明装置１を取り付けてもよい。照明装置１の太陽光パネル４の受光面の傾斜角度は、太陽光を十分受光できるように調節されている。この傾斜角度は、季節、設置環境等によって、適宜調節されてよい。なお、図３では、放熱孔９は、図示していない。
【００３０】
本考案の照明装置１は、光源としてＬＥＤを用いているので、低消費電力で高照度の特性を有している。例えば、照明装置１を、電力消費が３Ｗタイプで構成した場合は、水銀灯３０Ｗ相当の明るさとなり、電力消費が５Ｗタイプで構成した場合は、水銀灯５０Ｗ相当の明るさとなり、電力消費が１０Ｗタイプで構成した場合は、水銀灯１００Ｗ相当の明るさとなる。蓄電池５には、電力消費が１０Ｗ以下のタイプの場合、リチウムイオン電池が用いられ、１０Ｗ以上のタイプの場合、完全密閉型の鉛蓄電池が用いられている。なお、蓄電池をリチウムイオン電池、鉛蓄電池、あるいは、その他のタイプの蓄電池のいずれにするか、また、光源の消費電力をどのタイプにするか等は、必要に応じ、適宜選択して決めればよい。
【００３１】
本考案の照明装置１は、上記のように低消費電力であるので、太陽電池と蓄電池と適宜組み合わせることで、太陽電池の発電と蓄電池への充電を行うことができ、通常であれば、一旦充電が完了すれば不日照日が数日でも照明点灯も可能であるので、単に夜間の防犯灯、街路灯、駐輪・駐車場灯、公園用照明灯、ガーデニング灯等以外にも、案内灯、保安灯、地震・洪水等災害時における非常灯としても用いることができる。しかも、小型・軽量であるので、持ち運びが容易であるから、懐中電灯の大型版として携帯することができる。
【００３２】
次に、図４、図５を用いて、第一実施形態の照明装置１の点灯制御動作について説明する。
図４は、第一実施形態の照明装置１の回路ブロック図を示し、図５は、人感センサー６が動作したときの点灯パターンの一例を示す。図５において、符号ｉａは、照明装置の周辺の明るさを示し、符号Ｓ１，Ｓ２，Ｓｃ１，Ｓｃ２は、後述する信号名を示し、符号Ｌｕは、後述する照明部７の明るさを示す。図５において、横軸ｔは時間軸である。図１〜図３と共通する部分には同じ符号を付している。照明装置１は、太陽光を受光することにより発電する太陽電池４ａが格子状に複数配設された太陽光パネル４と、太陽光電池４ａで発電された電力が充電される蓄電池５と、蓄電池５に充電された電力が供給され光源のＬＥＤが点灯される照明部７と、感知エリア内の人体を感知して感知信号Ｓ２を生成する人感センサー６と、制御部８とを備えている。制御部８は、太陽光パネル４と、蓄電池５と、人感センサー６と、照明部７とに電気的に接続されている。なお、説明の便宜上、図４では、１個の太陽電池４ａを示し、また、１個のＬＥＤ（発光ダイオード）７ａを示している。
【００３３】
制御部８について説明する。太陽光を受光して太陽電池４ａで発電された電力は、直列に接続された逆電流防止用のダイオード１３を介して、蓄電池５に充電される。また、太陽電池４ａで発電された電力は、日出没判定部１５へ供給される。日出没判定部１５は、太陽電池４ａと並列に接続され、太陽電池４ａの発電電圧（出力電圧）Ｖｏを、例えば、予め設定された基準電圧Ｖｒ（不図示）と比較する。日出没判定部１５は、日没以降太陽電池４ａの発電電圧Ｖｏが低下し、基準電圧Ｖｒを下回ると、その時点を日没時刻と判定し、また、日出以降太陽電池４ａの出力電圧Ｖｏが上昇し、基準電圧Ｖｒを上回ると、その時点を日出時刻と判定する。日出没判定部１５は、日出没判定信号Ｓ１を出力するように構成され、本実施形態では、図５に示すように、日出没判定信号Ｓ１は、日没を判定するとＬレベルの電圧信号として出力され、日出を判定するとＨレベルの電圧信号として出力される。
【００３４】
人感センサー６は、感知エリア内に人体を感知すると人体感知信号Ｓ２を出力する。本実施形態では、人体感知信号Ｓ２は、人体を感知したときに一定期間Ｈレベルのパルス状信号として出力される。人感センサー６には、人（動物も含む）が自然に発する熱（赤外線）を感知する周知の赤外線センサーが用いられているが、超音波や可視光を用いた人感センサーであってもよい。なお、各信号は、必要に応じて、適宜、波形整形、増幅される。
【００３５】
日出没判定信号Ｓ１は、タイマー部１７に設けられた第１のタイマー部１７ａと、第２のタイマー部１７ｂとに入力される。第１のタイマー部１７ａは、Ｌレベルの日出没判定信号Ｓ１を受信すると、この時点を開始時刻として第１の点灯時間ｔ１（例えば、１０時間）だけＨレベルとなる第１制御信号Ｓｃ１を出力する。第１の点灯時間ｔ１経過後は、第１制御信号Ｓｃ１はＬレベルとなる。
【００３６】
第１制御信号Ｓｃ１は、点灯制御部１８に入力される。点灯制御部１８は、第１の制御信号Ｓｃ１を受信すると、第１の点灯時間ｔ１だけ、照明部７が第１の明るさＬｕ１（照明部７の最大能力の６０％、例えば、３Ｗタイプの場合、１．８Ｗ）で点灯するように制御する。そして、第１の点灯時間ｔ１が経過すると、点灯制御部１８は、照明部７を消灯するように制御する。このとき、蓄電池５から照明部７が第１の明るさＬｕ１で点灯することができる第１の電力Ｐｓ１が供給されるように制御される。ここで、照明部７の第１の明るさＬｕ１（最大能力の６０％の明るさ）は、通行に支障なく、一定の防犯上の効果を奏する明るさに設定されている。
【００３７】
人体感知信号Ｓ２は、第２のタイマー部１７ｂに入力される。第２のタイマー部１７ｂは、Ｈレベルの人体感知信号Ｓ２を受信すると、この時点を開始時刻として第２の点灯時間ｔ２（例えば、２分間）だけＨレベルとなる第２制御信号Ｓｃ２を出力する。第２の点灯時間ｔ２経過後は、第２制御信号Ｓｃ２は、Ｌレベルとなる。点灯制御部１８は、第２の制御信号Ｓｃ２を受けると、第２の点灯時間ｔ２だけ、照明部７が第２の明るさＬｕ２（照明部７の最大能力の９０％、例えば、３Ｗタイプの場合、２．７Ｗ）で点灯するように制御する。このとき、蓄電池５からは、照明部７が第２の明るさＬｕ２で点灯することができる第２の電力Ｐｓ２が供給されるように制御される。点灯制御部１８は、第１の点灯時間ｔ１中は、照明部７が第１の明るさＬｕ１で点灯中であったとしても、Ｈレベルの第２制御信号Ｓｃ２を受信すると、第２の点灯時間ｔ２だけ照明部７を第２の明るさＬｕ２で点灯するように制御される。第２の点灯時間ｔ２が経過すると、第１の点灯時間ｔ１が経過する前であれば、再び照明部７は第１の明るさＬｕ１で点灯するように制御される。つまり、日没判定時刻以降、第１の点灯時間ｔ１が経過するまでは、照明部７は第１の明るさＬｕ１での点灯を原則維持しながら、人感センサー６が人体を感知するたびに、第２の点灯時間ｔ２だけ第２の明るさＬｕ２で点灯する動作を繰り返すように制御される。
【００３８】
また、図５に示すように、第１点灯時間ｔ１以外の時間帯は、人感センサー６が感知エリア内で人体を感知してＨレベルの人体感知信号Ｓ２を出力しても、第２のタイマー部１７ｂから出力される第２制御信号Ｓｃ２はＬレベルに維持されるので、照明部７は消灯を維持する。これにより、蓄電池５の電力消費を低減することができる。
【００３９】
ここで、第１の点灯時間ｔ１は、例えば、１０時間に設定されているので、日没から日出までの時間が長い冬期でも、防犯上十分に効果のある時間、照明部７を点灯することができる。また、日没から日出までの時間が短い夏期は、太陽電池４ａの発電量が一定電力を上回ると、つまり、太陽電池４ａの発電電圧（出力電圧）Ｖｏが基準電圧Ｖｒよりも大きくなると、日出没判定信号Ｓ１は日出を判定してＨレベルとなり、この信号を点灯制御部１８が受信して、照明部７を消灯するように制御する。
【００４０】
このように、本考案の照明装置１では、日没判定時刻以降、第１の点灯時間ｔ１が経過する迄、人感センサー６が人体を感知しなければ照明部７が第１の明るさＬｕ１（最大能力の６０％）で点灯するように制御されるので蓄電池５の電力の消費を低減することができるとともに防犯の効果を奏することができる。
なお、上記の第１の点灯時間ｔ１、第２の点灯時間ｔ２、第１の明るさＬｕ１、第２の明るさＬｕ２等は、点灯時間可変手段、明るさ可変手段を設けて、蓄電池の容量、季節・天候等の日照環境、季節に応じた夜時間の長さ、設置場所の環境、防犯効果等を考慮して適宜調節できる構成にしてもよい。第１の明るさＬｕ１、第２の明るさＬｕ２が変更になるときは、第１の電力Ｐｓ１、第２の電力Ｐｓ２も明るさに応じて変更される。
【００４１】
（第二実施形態）
次に、本考案の第二実施形態における照明装置について、図６、図７を参照しながら説明する。図６に第二実施形態の照明装置２０の回路ブロック図を、図７に照明装置２０の具体的構成例の正面図を示す。第二実施形態の照明装置２０は、第一実施形態の照明装置１の照明装置本体部２に撮影手段２１を設けた照明装置本体部２６とポール取り付け部３からなる構成である。撮影手段２１には、カメラ部２２、撮影用人感センサー２３、記録手段２４、撮影や画像の記録を制御する撮影制御部２５を備えている。撮影手段２１は、制御部８と、蓄電池５とに接続されている。撮影用人感センサー２３は、カメラ部２２に内蔵されてもよい。また、撮影制御部２５には、ＷＩＦＩ等の無線通信制御手段を設けてもよい。記録手段２４は、半導体メモリで構成され、撮影手段２１に着脱自在に設けられている。カメラ部２２、撮影用人感センサー２３、記録手段２４、撮影制御部２５に用いられる電力は、蓄電池５から供給される。なお、撮影手段２１、及び、その構成要部のカメラ部２２、撮影用人感センサー２３、記録手段２４、撮影制御部２５については、以下の第三実施例で説明する。また、照明装置２０をポール取り付け部３を用いてポール１２等の支持部材に取り付けて設置した照明灯設備の構成は、第一実施形態の照明灯設備１００（図３参照。）を参照することで理解できるので、説明を省略する。
【００４２】
（第三実施形態）
ここで、第二実施形態においては、撮影手段２１の電力消費が大きいので、第一実施形態の照明装置１に比べ、蓄電池５の電力消費の増加が予想される。そこで、好適には、図８に示すように、第三実施形態の照明装置３０には、撮影手段２１専用に太陽光発電部及び蓄電池が設けられる。撮影手段専用の太陽光発電部としては、第一実施形態と同様に、太陽光を受光することにより発電する太陽電池４ａが格子状に複数配設された太陽光パネル４で構成される。また、撮影手段専用の蓄電池も、第一実施形態と同様に、太陽光電池４ａで発電された電力が充電される蓄電池５で構成される。撮影手段専用の太陽光パネル４、太陽電池４ａ、及び、蓄電池５は、全て、撮影手段２１の電力供給手段として専用される。太陽光パネル４、太陽電池４ａ、蓄電池５の素材、容量、大きさについては，必要に応じて適宜設計変更されてよい。
【００４３】
図９、図１０には、第三実施形態の照明装置３０の具体的な構成例を示す。図９、図１０において、照明装置本体部２６は、上述の第二実施形態と同様に、第一実施形態の照明装置１の照明装置本体部２に、上述の撮影手段２１を設けたものである。カメラ部２２は、照明装置３０の照明装置本体部２６の人感センサー６の近傍に設けられている。撮影手段用太陽光発電本体部３１は、第一実施形態の照明装置１を構成する照明装置本体部２において、人感センサー６、照明部７、制御部８を取り外し、太陽電池４ａを含む太陽光パネル４と、ダイオード１３と、蓄電池５の構成にしたものである。蓄電池５を内蔵するので、当然、放熱孔９も形成されている。
【００４４】
図９、図１０に示すように、第一実施形態と同様に、ポール取り付け部３は、角度調節部１０とポール嵌合部１１を備えている。角度調節部１０は、照明装置本体部２６、撮影手段用太陽光発電本体部３１それぞれの下端部略中央部に形成された第１角度調節片１０ａと、ポール嵌合部１１の上端部略中央部に形成された第２角度調節片１０ｂとを、螺設手段１０ｃで螺設することで、所定の角度に固定される。この螺設手段１０ｃにより、照明装置本体部２６、撮影手段用太陽光発電本体部３１を可動させて太陽光パネル４の受光面の傾斜角度を調節することができる。また、ポール嵌合部１１は、第一，第二実施形態と異なり、それぞれ嵌合部材１１ａのみを備え、照明装置本体部２６の嵌合部材１１ａと撮影手段用太陽光発電本体部３１の嵌合部材１１ａとを螺設手段１１ｃで螺着することで、照明装置本体部２６と撮影手段用太陽光発電本体部３１とがポール１２を介して螺着可能な構成となっている。
【００４５】
また、第三実施形態の変形例として図１１に示すように、照明装置４０は、この撮影手段太陽光発電本体部３１と、照明装置本体部２６とを、それぞれ、第一実施形態と同様のポール取り付け部３で、独立にポール１２に取り付けて固定して照明灯設備２００として設置されてもよい。なお、図９〜１１では、太陽光パネル４から蓄電池５へ電力を供給するための電力供給線は図示していない。また、それぞれ、２つのポール取り付け部３を一体化して、１つのポール取り付け部で撮影手段太陽光発電本体部３１と、照明装置本体部２６とをポール１２に取り付けるように構成してもよい。
【００４６】
なお、少なくとも撮影手段２１専用の蓄電池５は、商用交流電力（例えば、ＡＣ１００Ｖ、又は、ＡＣ２００Ｖ）を充電することができる構成にしてもよい。また、カメラ部２２の取り付け位置は、人感センサー６の近傍に限定されず、照明装置本体部２６上の撮影が可能な位置であってカメラ部が取り付け可能な位置であればよい。さらに、本実施形態も防犯、防災用に用いられるので、静止画像あるいは動画像の撮影年月日、撮影時刻（時、分、秒を含む）等は、記録手段に記録されるが、記録されたデータの再生時には、撮影された年月日・時刻の表示・非表示の選択が可能である。
【００４７】
照明装置２０，３０，４０は、照明装置１の制御動作に加え、以下のような制御動作を行う。撮影用人感センサー２３が、人体を感知検知して、人体感知信号を撮影制御部２５に送信する。撮影制御部２５がこの人体感知信号を受信すると、カメラ部２２を動作させて撮影設定時間ｔ４（例えば、２分間）、撮影を行い、少なくとも撮影した静止画像又は動画像のいずれか一方を、記録手段２４に記録する。通常は、夜間のみ、撮影用人感センサー２３が人体を感知する度に、この制御動作を繰り返す。赤外線センサーによる夜間撮影であるので、カメラ部２２は、周知の暗視カメラとしての機能・構成を備えている。「夜間」の時間帯の設定は、撮影手段２１に時間帯設定手段を設けて予め設定してもよいし、外部からＷＩＦＩ等の無線通信手段を用いて必要なときに設定するようにしてもよい。なお、撮影用人感センサー２３の作動のオン・オフ（カメラ部２２の作動のオン・オフ）等、その他の撮影手段２１の機能を外部からＷＩＦＩ等の無線通信手段を用いて設定するようにしてもよい。また、撮影用人感センサー２３の作動のオン・オフ（カメラ部２２の作動のオン・オフ）を制御するスイッチを、ポール１２に設けてもよい。
【００４８】
また、撮影用人感センサー２３に代えて、人感センサー６を用いるようにしてもよい。このとき、第２の制御信号Ｓｃ２を、カメラ部２２の撮影制御信号として用いれば、日出没判定信号Ｓ１で設定される第１の点灯時間ｔ１が、カメラ部２２が動作可能な時間帯となる。仮に、一日中、カメラ部２２を動作可能にしたい場合は、人体感知信号Ｓ２を用いてもよい。人体感知信号Ｓ２と制御信号Ｓｃ２のいずれか一方を選択して撮影制御部２５に送信できるような信号選択手段を設けて制御するように構成してもよい。
【００４９】
なお、蓄電池５の電力消耗が大きくなる可能性があるが、カメラ部２２を動体検知カメラで構成することも可能である。このとき、日没以降は、前述した、第１の点灯時間ｔ１中であれば、照明部７は、第１の明るさ、又は、第２の明るさで点灯しているので、カメラ部２２の撮影に十分な明るさである。ここで、動体感知カメラに用いる動体検知センサーは、赤外線等で感知する人感センサーとは異なり、被写体が動いたことを検知するので、例えば、検知感度を高くしすぎると木の葉の僅かな揺れも検知して検知信号を発生するので、無駄な撮影が多くなる。逆に、検知感度を低くしすぎると、人が通行しても撮影が行われず防犯に役立たない。したがって、検知感度は、無駄な撮影ができるだけ少なく、かつ、防犯上一定の効果があるように設定される。なお、動体検知手段として、赤外線を用いたモーションセンサーを用いてもよいし、そのときは、その他の関連する構成部品を適宜設計変更すればよい。
【００５０】
記録手段２４としての半導体メモリは、記録容量の制限があるので、容量限界まで記録したら、古いデータから順に上書きを行う。データが上書きされずに連続的に記録可能な時間（日数）は、半導体メモリの容量や、カメラ部２２の作動状況に応じて変わる。カメラ部２２、撮影用人感センサー２３、撮影制御部２５等の構成は、周知の電気・電子部品を用いて、容易に実現できる。また、半導体メモリは、不揮発性メモリで構成された周知のＳＤメモリカードを用いているが、他の市販の記録手段を必要に応じて適宜選択すればよく、半導体メモリに限らず、コンパクトディスク、デジタルバーサタイルディスク等、その他の記録手段でもかまわない。
【００５１】
ここで、照明装置２０，３０，４０を、低位置に設置する場合は、必要なときに記録手段２４を交換することができるが、高い位置に設置する場合は、容易に記録手段２４を交換することができない。そこで、撮影制御部２５にＷｉＦｉ等の無線通信機能を備えておき、携帯電子情報端末を用いて撮影制御部２５を制御し、記録手段２４から記録データを携帯電子情報端末の記録部に転送して記録させるように構成してもよい。
【００５２】
（第四実施形態）
次に、第四実施形態について図１２、図１３を参照しながら説明する。第四実施形態の照明装置５０は、第一実施形態の照明装置１のタイマー部１７にさらに第３のタイマー部１７ｃを設けてタイマー部５７を構成したものである。また、第一実施形態の制御部８に換えて制御部５８と表記する。以下、主に第一実施形態との相異点について、制御動作を説明する。
【００５３】
第一実施形態と同様に、日出没判定信号Ｓ１を、この第３のタイマー部１７ｃにも入力し、第３のタイマー部１７ｃは、Ｌレベルの日出没判定信号Ｓ１を受信すると、この時点を開始時刻として第３の点灯時間ｔ３（例えば、２分間）だけＨレベルとなる第３制御信号Ｓｃ３を出力するように構成する。第３の点灯時間ｔ３経過後は、第３制御信号Ｓｃ３はＬレベルとなる。これにより、点灯制御部５９は、第３の制御信号Ｓｃ３を受信すると、第３の点灯時間ｔ３だけ、第１制御信号Ｓｃ１及び第２の制御信号Ｓｃ２に無関係に、照明部７が第３の明るさＬｕ３（照明部７の最大能力の９０％、例えば、３Ｗタイプの場合、２．７Ｗ）で点灯するように制御する。このとき、蓄電池５からは、照明部７が第３の明るさＬｕ３で点灯することができる第３の電力Ｐｓ３が供給されるように制御される。そして、第３の点灯時間ｔ３が経過すると、点灯制御部５９は、照明部７が第１の明るさＬｕ１（照明部の最大能力の６０％、例えば、３Ｗタイプの場合、１．８Ｗ）の明るさで点灯するように制御する。このとき、蓄電池５からは、照明部７が第１の明るさＬｕ１で点灯することができる第１の電力Ｐｓ１が供給されるように制御される。ここで、照明部７の第３の明るさＬｕ３(最大能力の９０％の明るさ)は、人が通行するのに支障が無い明るさである。
【００５４】
点灯制御部５８は、第３の点灯時間ｔ３経過後は、第一実施形態と同様に、第１の点灯時間ｔ１経過前で照明部７が第１の明るさＬｕ１で点灯中であったとしても、Ｈレベルの第２制御信号Ｓｃ２を受信すると、第２の点灯時間ｔ２だけ照明部７を第２の明るさＬｕ２で点灯するように制御される。第２の点灯時間ｔ２が経過すると、第１の点灯時間ｔ１経過前であれば、再び照明部７は第１の明るさＬｕ１で点灯するように制御される。つまり、第３の点灯時間ｔ３経過後、第１の点灯時間ｔ１が経過するまでは、照明部７は第１の明るさＬｕ１での点灯を原則維持しながら、人感センサー６が人体を感知するたびに、第２の点灯時間ｔ２だけ第２の明るさＬｕ２で点灯する動作を繰り返すように制御される。その他の点灯制御は、第一実施形態と同様である。
【００５５】
なお、第四実施形態では、第３のタイマー部１７ｃを設け、Ｌレベルの日出没判定信号Ｓ１が入力されると、点灯制御部５９は、日没判定時刻から第３の点灯時間ｔ３が経過する迄、照明部７を第３の明るさＬｕ３で点灯させるように制御する機能を有しているが、この機能は選択的にオン・オフ切り換えができるように設定しておき、例えば、この機能をオフに設定して、第３のタイマー部１７ｃを非動作として、第１のタイマー部１７ａ及び第２のタイマー部１７ｂのみ動作させて、第一実施形態の制御動作と同様の制御動作にしてもよい。
【００５６】
（第五実施形態）
第五実施形態は、第二、第三実施形態の制御部８に換えて第四実施形態の制御部５８を設けたものである。回路図、照明部の点灯パターン、照明灯設備としての設置等については、上述した説明から容易に理解できるので、説明及び図面は省略する。
【符号の説明】
【００５７】
１，２０，３０，４０，５０  照明装置
２，２６    照明装置本体部
３          ポール取り付け部
４          太陽光パネル
４ａ        太陽電池
５          蓄電池
６          人感センサー
７          照明部
７ａ        ＬＥＤ
８，５８    制御部
９          放熱孔
１０        角度調節部
１０ａ      第１角度調節片
１０ｂ      第２角度調節片
１０ｃ，１１ｃ  螺設手段
１１        ポール嵌合部
１１ａ，１１ｂ  嵌合部材
１２        ポール
１３        ダイオード
１５        日出没判定部
１７，５７  タイマー部
１７ａ      第１のタイマー部
１７ｂ      第２のタイマー部
１７ｃ      第３のタイマー部
１８，５９  点灯制御部
２１        撮影手段
２２        カメラ部
２３        撮影用人感センサー
２４        記録手段
２５        撮影制御部
３１        撮影手段用太陽光発電本体部
１００，２００  照明灯設備
Ｌｕ１      第１の明るさ
Ｌｕ２      第２の明るさ
Ｌｕ３      第３の明るさ
Ｐｓ１      第１の電力
Ｐｓ２      第２の電力
Ｐｓ３      第３の電力
Ｓ１        日出没判定信号
Ｓ２        人体感知信号
Ｓｃ１      第１の制御信号
Ｓｃ２      第２の制御信号
Ｓｃ３      第３の制御信号
ｔ１        第１の点灯時間
ｔ２        第２の点灯時間
ｔ３        第３の点灯時間
ｔ４        撮影設定時間
Ｖｏ        発電電圧（出力電圧）
Ｖｒ        基準電圧
Ｗ          塀
【図１】
0003202531.tif 000003
【図２】
0003202531.tif 000004
【図３】
0003202531.tif 000005
【図４】
0003202531.tif 000006
【図５】
0003202531.tif 000007
【図６】
0003202531.tif 000008
【図７】
0003202531.tif 000009
【図８】
0003202531.tif 000010
【図９】
0003202531.tif 000011
【図１０】
0003202531.tif 000012
【図１１】
0003202531.tif 000013
【図１２】
0003202531.tif 000014
【図１３】
0003202531.tif 000015